(57)【要約】【課題】生態系適合性コンクリートを製造するための、シートおよび上記コンクリートの製造方法を提供する。【解決手段】吸水崩壊性粒子と多孔質骨材２よりなる多孔質粒子を、粘着シートに貼着又は一部分を埋めこんで搭載した多孔質粒子搭載シートを、生態系適合性コンクリート製造用シートとする。上記多孔質粒子搭載シート上にコンクリート１を打設、硬化した後、上記粘着シートを剥離除去し、必要に応じて表面を水洗するなどの方法により、開口した穴４と多孔質粒子が表面に不規則に露出した生態系適合層が躯体コンクリート上に設けられた生態系適合性コンクリート７を製造する。【選択図】　　図１
2004050595.tif 000002
【特許請求の範囲】
【請求項１】
シート状支持体上に粘着剤層を設けた粘着シートの該粘着剤層に多孔質粒子を付着させるか、又は、その一部を埋め込んで固定した多孔質粒子搭載シートにおいて、上記多孔質粒子が吸水崩壊性粒子と非崩壊性の多孔質骨材よりなることを特徴とする多孔質粒子搭載シート。
【請求項２】
躯体コンクリート上に、開口した穴と多孔質骨材が露出して分布する生態系適合層が設けられた生態系適合性コンクリートの製造において、
（１）請求項１に記載した上記多孔質粒子搭載シートをコンクリート型枠内面に多孔質粒子搭載面を上にして設置する工程、
（２）上記型枠内にコンクリートを打設して養生する工程、
（３）硬化したコンクリート表面より上記粘着シートを剥離して多孔質粒子を露出させる工程、
により躯体コンクリート上に生態系適合層を形成することを特徴とする多孔質粒子搭載シートを用いた生態系適合性コンクリートの製造方法。
【請求項３】
躯体コンクリート上に、開口した穴と多孔質骨材が露出して分布する生態系適合層が設けられた生態系適合性コンクリートの製造において、
（１）請求項１に記載した上記多孔質粒子搭載シートを未硬化コンクリート又は躯体コンクリート上に設けたモルタル層に多孔質粒子搭載面を向けて圧着する工程、
（２）コンクリート又はモルタルを養生する工程、
（３）硬化したコンクリート表面より上記粘着シートを剥離して多孔質粒子を露出させる工程、
により躯体コンクリート上に生態系適合層を形成することを特徴とする多孔質粒子搭載シートを用いた生態系適合性コンクリートの製造方法。
【発明の詳細な説明】
【０００１】
【発明の属する技術分野】
本発明は、耐久性に優れ、且つ、生態系の育成に適合した擁壁、護岸ブロック、各種水路等の生態系適合性コンクリート構造物およびその製造方法に関する。
【０００２】
（本明細書においては、吸水して崩壊する多孔性粒子を崩壊性粒子、堅牢で水に曝されるなどの自然環境下でも崩壊しない多孔性粒子を多孔質骨材、崩壊性粒子と多孔質骨材を合わせて多孔質粒子と呼ぶ。）
【従来の技術】
近年、環境問題に対する人々の意識が高まるにつれて、擁壁や護岸ブロック等においても、動植物が生育可能な緑化コンクリート構造物が用いられるようになってきた。初期には、箱型や井型に成形したコンクリートに客土を入れ、そこに植物を生育させる擁壁等が各地で構築された。このような擁壁等では全面が緑化されず、かえって美観を損なうことがあったため、施工場所全面の緑化を目指して、連続空隙を有する多孔性コンクリート（透水性コンクリート）を現場で施工して、その表面に直接又は薄く客土を敷いて芝や各種雑草類を生やす方法が行われてきた（例えば、コンクリート工学、３２、Ｎｏ．１１（１９９４）記載）。
【０００３】
また、多孔性コンクリートをもとにした植栽用コンクリート製品に関しても多くの提案がなされている（例えば、特公平７−７４５０６号公報、特開２００１−２９５２８３号公報等記載）。
【０００４】
多孔性コンクリートを植栽基盤として用いた場合、密充コンクリートに比して植物の生育性は格段に向上するが、なお保水性が十分でない、災害防止用耐久性構造物としては強度が不足しているなどの問題を抱えている。
【０００５】
また、外観が環境に適合した生態系育成構造物を指向したものに、コンクリートブロックに多孔性溶岩等を露出させた製品（例えば、特開平９−００３９３７号公報記載）、スライスした溶岩等をボード基板に貼り付けた生態適合版で、コンクリート構造物に接着できるようにした製品（例えば、特開平９−２０３０５９号公報記載）、保水性を有する粒子等を貼り付けたパネル基板で、コンクリート構造物または鋼構造物表面に張り付けるようにした製品（例えば、特開平１１−１５８８９６号公報記載）等がある。
【発明が解決しようとする課題】
特開平９−００３９３７号公報に記載されたコンクリートブロックは、自然の多孔性岩石等を用いていることで環境適合性は高いが、多孔性岩石等を一つ一つ埋め込まなければならず、製造が容易でない。また、特開平９−２０３０５９号公報記載のコンクリート構造物や特開平１１−１５８８９６号公報記載のコンクリート構造物は、予め製造した生態適合ボード等をコンクリート構造物に貼り付けるもので、耐久性に問題がある。
【０００６】
動植物が生育できる護岸や水路など、生態系に適合したコンクリート構造物を構築するには、耐久性に優れた強固なコンクリート構造物であって、その表面がそれ自体自然に適合し、且つ、動植物の生育に適合したものでなければならない。上記構造物の表面は動植物が生育するのに適した凹凸の大きい粗面構造で、且つ、動植物の生育に必要な栄養分等が持続して供給される特性を有していることが望ましい。しかし、このようなコンクリート構造物は、通常、製造するのに多額の経費を必要とする。
【０００７】
本発明の目的は、上記の課題を解決し、耐久性に優れた構造物で、自然環境に適合し、その表面が動植物の生育に適したコンクリート構造物を低価格で簡単に製造できる方法およびそれに用いる材料を提供することである。
【０００８】
【課題を解決するための手段】
本発明の目的を達成するために、本発明は特許請求の範囲に記載のような構成とするものである。
【０００９】
すなわち、シート状支持体上に粘着剤層を設けた粘着シートの該粘着剤層に多孔質粒子を付着させるか、又は、その一部を埋め込んで固定した多孔質粒子搭載シートにおいて、上記多孔質粒子を吸水崩壊性粒子と非崩壊性の多孔質骨材よりなるものとする。
【００１０】
また、躯体コンクリート上に、開口した穴と多孔質骨材が露出して分布する生態系適合層が設けられた生態系適合性コンクリートの製造方法として、上記多孔質粒子搭載シートをコンクリート型枠内面に多孔質粒子搭載面を上にして設置し、該型枠内にコンクリートを打設して養生し、硬化したコンクリート表面より粘着シートを剥離して多孔質粒子を露出させる。
【００１１】
また、上記生態系適合性コンクリートの別の製造方法として、上記多孔質粒子搭載シートを、未硬化コンクリート又は躯体コンクリート上に設けたモルタル層に、多孔質粒子搭載面を向けて圧着し、上記コンクリート又はモルタルを養生した後、それらの表面より粘着シートを剥離して多孔質粒子を露出させる。
【００１２】
【発明の実施の形態】
本発明者等は、動植物の生育に適したコンクリート構造物に関して詳しく検討し、さらにそれを実現するための各種材料・プロセス等を詳細に検討した結果、生態系適合性コンクリートを、耐久性に優れた躯体コンクリート上に生態系適合層を設け、該生態系適合層を、大きさ・形状が多様な多数の開口した穴が不規則に分布すると共に多孔質骨材が露出した構造とすれば良いことを見出した。上記多孔質骨材は、その一部分が躯体コンクリートの表面層に埋め込まれ、他の部分が多孔性を保持して上記表面層から露出している。すなわち、上記生態系適合層は、多数の開口した穴が形成され、さらに多孔質骨材がその一部を露出して埋め込まれている躯体コンクリート表面層であって、躯体コンクリートと一体となっている。
【００１３】
このように、本発明者らが目指す生態系適合性コンクリートは、強固なコンクリート躯体と該コンクリート躯体上に設けられた環境適合性が高く、且つ、動植物の生育の場となり得る生態系適合層とが連続して完全に一体化しているため、極めて耐久性に優れている。
【００１４】
上記のように、表面に不規則に多くの穴が形成され、また、その穴と共に多孔質骨材が露出して存在する表面改質コンクリート構造物は、打ち放しのコンクリート構造物に比して、それ自体が自然環境への適合性に優れている。
【００１５】
また、上記の生態系適合層を表面に設けたコンクリート構造物は、施工してから日を経るに従って表面の穴部に自然界の堆積物が溜まり、生物の生育に快適な環境を造りだす。また、表面に露出して固定されている多孔質骨材はもともと吸水性・保水性に富んでいるが、さらに表面に雑多な自然物が付着し、コケや雑草が生えて水分保持性が高まるため、上記生態系適合層はますます表面が緑化して昆虫等の小動物が棲息するのにも適したものとなる。また、このようなコンクリート構造物は水路、水辺等の水系に施工された場合には、藻類その他の水生植物が生育する場所となり、さらに、水生動物の好適な棲息の場となる。
【００１６】
本発明は、粘着シートに特殊な多孔質粒子を搭載した多孔質粒子搭載シートを提供することにより、上記のような生態系適合性コンクリートを安価で簡単に製造することを可能としたものである。
【００１７】
本発明になる多孔質粒子搭載シートは、水により崩壊する吸水崩壊性粒子（吸水崩壊性の多孔性粒子）と、水がかかるなどの自然環境下に曝されても崩壊し難い堅牢な多孔質骨材を、シート支持体上に粘着剤層を設けた粘着シートの該粘着剤層に固定したもので、上記多孔質粒子は粘着剤層に貼付することで固定されるか、それぞれの粒子の一部が粘着剤層に埋め込まれて固定されている。
【００１８】
上記の多孔性で水を吸収すると崩れやすい吸水崩壊性粒子として、例えば、凝灰岩（火山灰が堆積して固まった火砕岩）のうち堆積期間が短く、圧壊強度が小さいものや、火山灰、石炭灰等を用いて人工的に造粒した人工ゼオライトがある。
【００１９】
また、生態系適合性コンクリート上に露出した状態で固定される多孔質骨材は、水の吸収などでは壊れない堅牢な非崩壊性粒子で、孔径が５×１０−１０〜１０−８ｍ程度の細孔を持ち、イオン交換能に優れ、多くの無機物質や有機物質を吸着する特性を備えたものである。このような粒子として、例えば、火山岩や堆積期間が長く強度の大きい凝灰岩などの天然ゼオライト、あるいは、頁岩などの泥質岩を粉砕造粒して製造した人工ゼオライトや石炭灰より製造した人工ゼオライト等がある。
【００２０】
上記多孔質粒子の大きさについては、取り扱いが可能な範囲で自由に選択すればよく、特に厳密な制限はないが、粒子搭載シートの製造、取り扱い等の難易や、生態系適合層表面の凹凸の大きさなどを考慮すると、粒径５〜３０ｍｍ程度が適当である。
【００２１】
本発明の方法によると、上記生態系適合性コンクリートをごく簡単に製造することができる。すなわち、上記のような吸水崩壊性粒子と多孔質骨材よりなるコンクリート表面改質用の多孔質粒子を、粘着シートの粘着剤層に貼付するか、該粒子の一部分を埋め込むようにして搭載した多孔質粒子搭載シートを用意し、該シートをコンクリート型枠内面に多孔質粒子搭載面を上にして設置し、コンクリートを打設し、養生した後、硬化したコンクリート面より粘着シートを剥離して上記多孔質粒子をコンクリート表面に露出させることで、容易に躯体コンクリート上に、開口した穴と多孔質骨材が露出して分布する生態系適合層が設けられた生態系適合性コンクリートを形成することができる。また必要に応じて、コンクリート面を水に曝して、吸水崩壊性粒子をコンクリート表面層より除去する工程を加えてもよい。
【００２２】
また、打設した未硬化コンクリート表面に上記多孔質粒子搭載シートを、多孔質粒子搭載面を向けて圧着するか、躯体コンクリート上にモルタル層を設けて、その層に上記多孔質粒子搭載シートを圧着することにより多孔質粒子をコンクリート表面層に埋めこんで固定してもよい。その後の工程として、上記と同様の処理を行うことで、容易に躯体コンクリート上に、開口した穴と多孔質骨材が露出して分布する生態系適合層が設けられた生態系適合性コンクリートを製造することができる。
【００２３】
本発明の内容をさらに詳しく説明する。吸水崩壊性粒子として、例えば、水を吸収すると崩壊しやすい凝灰岩などからなる直径５〜３０ｍｍ程度の多孔性の粒子を用い、該粒子を粘着剤層にその粒径の１／３ほどを埋め込んだ粘着シート上にコンクリートを打設すると、上記粒子は多数の細孔を持ち、水に対する親和性が大きい多孔性粒子であるから、接触したコンクリートペースト中の水分を瞬時に吸収するため、粒子周囲のコンクリートは水分不足になり流動性を失う。また、粒子表面に存在する反応性に富んだシリカは、コンクリートペースト中の水分に含まれる水酸化アルカリと反応してゲル化し、水分の内部への浸透を一時的に妨げると共に、粒子の形態保持に寄与する。このように、粒子に接触したコンクリートペーストの流動性の低下と、粒子表面のゲル化による保形性の向上により、コンクリート打設時における粒子の吸水による崩壊が防止され、吸水崩壊性粒子はコンクリート表面にほぼ原形を保持して固定される。上記の現象は未硬化のコンクリートやモルタルに多孔質粒子搭載シートを圧着する方法においても同様である。
【００２４】
コンクリートが硬化した後、粘着シートを取り除き、水を散布するか、あるいは、必要に応じて水を散布しながらブラシをかけると、吸水崩壊性粒子は水を吸収して容易に崩れて除去され、コンクリート表面に粒子の跡が穴部として残る。
【００２５】
粘着シートを取り除いた後、自然状態で放置しても、吸水崩壊性粒子は流水や雨水で自然に崩壊し、コンクリート表面に穴を残して流出するか、穴の中に土として残留する。
【００２６】
水を吸収しても壊れない多孔質骨材の場合には、粘着シート上では粘着剤層より露出していた部分がコンクリート中に埋めこまれて強固に固定される。一方、粘着シートを引き剥がして、コンクリート表面に露出させた多孔質骨材の露出部分は、コンクリート打設時点では粘着剤層中に埋め込まれて保護されていたため、多孔性を完全に保持し、多孔性粒子の持つ特性、すなわち、イオン交換特性、吸水・保水特性、無機・有機物質の特異な吸着特性等を全く失っていない。
【００２７】
このように、本発明によると、特殊な多孔性材料を搭載したシートを用いるだけで、表面が生態系に適合した耐久性コンクリート構造物を容易に、しかも低価格で提供することができる。
【００２８】
以下、図面を用いて、本発明を適用して造った生態系適合性コンクリート、それを製造するために使用する多孔質粒子搭載シート、および、上記生態系適合性コンクリートの製造方法をさらに詳しく説明する。
【００２９】
先ず、生態系適合性コンクリート７の生態系適合層の構造を模式的に図１および図２に示した。図１は生態系適合層の一例を、表面の一部分を取り出して示した上面模式図である。図において、符号１はコンクリート、符号２は多孔質骨材、符号４は開口した穴を示す。また、図２は上記構造物の線分ＡＢにおける断面を模式的に示した図である。図から分かるように、コンクリート１の表面に不規則に分布する多孔質骨材２は、コンクリート１の中にその一部を埋め込まれて固定されている。また、コンクリート１の表面には穴４が不規則に形成さている。図１および図２の例では、コンクリート１の表面に形状や大きさ（すなわち、穴径や深さ）が均一でない様々な穴が形成されていると共に、形状や大きさ、さらに色調が様々に異なる多孔質骨材２が表面から露出して固定されている。図２において、穴４や多孔質骨材２が存在する部分が生態系適合層であるが、図のように生態系適合層と躯体コンクリートは境界が判然としない一体構造をなしている。
【００３０】
さて、上記のようなコンクリート構造物の複雑な表面性状が、施工当初から該構造物を自然の景観に調和させる役割を果たしている。さらに施工から日を経るに従って自然界のいろいろな堆積物が穴部を含む表面に溜まり、雑草の種子などが定着するのに有効に働き、多孔質骨材の保水性や各種栄養分の捕捉能と相俟って、植物や小動物の生育の場として機能している。水路等にあっては微生物の繁殖、水生植物の繁茂、さらには、カニなどの小動物の快適な棲息場所となっている。
【００３１】
図３および図４に、本発明になる、上記生態系適合性コンクリートの製造に使用する、多孔質粒子搭載シート８の一部分を模式的に示した。図３は上面模式図、図４は図３の線分ＣＤにおける断面模式図である。図において、符号２は多孔質骨材、符号３は吸水崩壊性粒子、符号５は粘着剤層、符号６は粘着シートの基材である。多孔質骨材２も吸水崩壊性粒子３も粘着剤層５の中にほぼ１／３程度埋め込まれて固定されている。なお、図４に示した例では、多孔質粒子が粘着剤層５に埋めこまれているが、粘着剤層５に貼着しているだけでもよい。
【００３２】
次に生態系適合性コンクリート７の製造過程における一状態を例示する。図５および図６は、コンクリート表面層に粘着シートより反転して固定された多孔質骨材と吸水崩壊性粒子を模式的に示したものである。図５は上面模式図、図６は図５の線分ＥＦにおける断面模式図である。図から分かるように、多孔質骨材２および吸水崩壊性粒子３はコンクリート１に埋め込まれて固定されている。
【００３３】
図５および図６に示したコンクリート構造物の表面を水に曝すと、吸水崩壊性粒子３は水を吸収して崩壊し、コンクリート面より流出して、図１および図２に示したように、穴４が作り出される。この際、穴４の形状や大きさはコンクリート１の中に埋め込まれた吸水崩壊性粒子３の形状、大きさを反映したものとなる。
【００３４】
吸水崩壊性粒子３や多孔質骨材２を搭載する粘着シートとしては、次のような性能を持ったものが適している。すなわち、上記粒子を搭載したとき、該粒子に対する粘着力（接着力）が十分大きく、粒子搭載シートの運搬や、使用時の取り扱い中に、シートから粒子が脱落しないことが必要である。また、反面、粒子搭載シート上に打設して硬化させたコンクリート表面から粘着シートを容易に引き剥がすことができなければならない。
【００３５】
多孔質粒子を粘着剤層に付着させて搭載する場合には、例えば、ポリエステル基材等にアクリル酸エステル系、シリコーン系などの粘着剤を塗工した強粘着シートが利用できる。また、本発明は粘着剤層に上記粒子の一部分を簡単に埋め込むことができることも必要としている。このような要求に応える粘着シートの例として、ポリエステル基材にホットメルト粘着剤を塗工したゴム系粘着シートがある。
【００３６】
次に実施例を示す。
【００３７】
【実施例１】
秋田県産の凝灰岩より、粒径が５〜１０ｍｍで、水に触れると崩れて分散しやすい粒子（吸水崩壊性粒子）を選び出した。また同じ凝灰岩より、粒径が５〜１０ｍｍで、水に浸漬しても崩壊しない、圧壊強度５０Ｎ（５ｋｇｆ）以上の粒子（多孔質骨材）を選び出した。
【００３８】
上記の互いに性質が異なる凝灰岩を１：３の割合で混合して生態系適合層製造用の多孔質粒子（凝灰岩粒子と呼ぶ）とした。
【００３９】
厚さ５０μｍのポリエステルフィルム上にスチレン・ブタジエン・スチレンブロック共重合体系ホットメルト粘着剤を３００μｍの厚さに塗工して粘着シートを作製した。該粘着シートから６００ｍｍ×６００ｍｍのシートを切り取り、この上に上記凝灰岩粒子を載せて１５０℃で２０分加熱し、各粒子をその粒径の１／３程度粘着剤層に埋め込んで、凝灰岩粒子搭載シートを作製した。粘着シートへの凝灰岩粒子の固着強度は十分大きく、上記凝灰岩粒子搭載シートの搬送、コンクリート型枠へのシートの設置等の通常作業中にシートから粒子が脱落することはなかった。
【００４０】
【実施例２】
上記の凝灰岩粒子搭載シートを用い、次のようにして３００ｍｍ×３００ｍｍ×５０ｍｍの大きさの、表面性状が生態系に適合したコンクリートブロックを製造した。
【００４１】
すなわち、上記の凝灰岩粒子搭載シートを３００ｍｍ×３００ｍｍの大きさに切断し、これを内寸３００ｍｍ×３００ｍｍ×５０ｍｍの型枠の底に、凝灰岩粒子搭載面を上にして両面粘着テープで固定した。この上に普通ポルトランドセメントよりなるスランプ１５ｃｍ（ＪＩＳ　Ａ　１１０１参照）のコンクリートを打設し、ゆるい振動をかけて充填した後、最高温度６０℃で養生した。降温後、硬化したコンクリートブロックを型枠より取り出し、粘着シートを引き剥がした。コンクリート表面には全ての凝灰岩粒子が、すなわち吸水崩壊性粒子も多孔質骨材も、原形のままで、約１／３を露出して固定されていた。
【００４２】
上記凝灰岩粒子露出コンクリート面に水を散布した。吸水崩壊性の凝灰岩は簡単に洗い流され、コンクリート表面には上記粒子の跡が穴として残った。一方、非崩壊性の凝灰岩はそのままコンクリート表面に露出した状態で残存した。
【００４３】
上記のようにして、表面に開口した穴と露出した多孔質骨材が不規則に入り混じって存在する生態系適合性コンクリートブロック（構造物）が得られた。このコンクリートブロックを小川の岸に一夏放置して観察を続けたところ、表面に多量の緑藻類の着生と水生小動物の棲息が認められた。
【００４４】
【実施例３】
実施例２で使用した型枠を用いて３００ｍｍ×３００ｍｍ×５０ｍｍコンクリートブロックを作製した。このブロック上にセメント／細骨材＝１／３のモルタルを約１５ｍｍの厚さに塗工し、直ちに実施例１で作製した凝灰岩粒子搭載シートを、粒子搭載面をモルタルに向け、モルタルとシートの間の空気を追い出すようにコテで均しながら圧着した。この凝灰岩粒子搭載シートを張り付けたコンクリートブロックを約２０℃で、１日、自然養生した後、粘着シートを剥離した。コンクリートブロック表面の凝灰岩粒子の露出状況は実施例２に類似したものであった。このコンクリートブロックをそのまま、実施例２と同様にして小川の岸に放置したところ動植物の着生などの結果は実施例２と変わりがなかった。
【００４５】
【発明の効果】
以上説明したように、シート状支持体上に粘着剤層を設けた粘着シートの該粘着剤層に多孔質粒子を付着させるか、又は、その一部を埋め込んで固定した多孔質粒子搭載シートにおいて、上記多孔質粒子が吸水崩壊性粒子と非崩壊性の多孔質骨材よりなるから、表面が生態系に適合した耐久性コンクリート構造物を容易に、しかも、低価格で提供することができる。
【００４６】
また、躯体コンクリート上に、開口した穴と多孔質骨材が露出して分布する生態系適合層が設けられた生態系適合性コンクリートの製造方法は、上記多孔質粒子搭載シートをコンクリート型枠内面に多孔質粒子搭載面を上にして設置し、該型枠内にコンクリートを打設して養生し、硬化したコンクリート表面より粘着シートを剥離して多孔質粒子を露出させるから、多様な大きさ、形状の穴と多孔性骨材が表面に露出した生態系適合層を持ち、該生態系適合層が躯体コンクリートと一体になった生態系適合性コンクリートを低価格で、簡単に製造することが可能になり、これにより生態系に適合した耐久性の擁壁、護岸ブロック、水路等の構築が可能になった。
また、上記生態系適合性コンクリートの別の製造方法は、上記多孔質粒子搭載シートを、未硬化コンクリート又は躯体コンクリート上に設けたモルタル層に、多孔質粒子搭載面を向けて圧着し、上記コンクリート又はモルタルを養生した後、それらの表面より粘着シートを剥離して多孔質粒子を露出させるから、多様な大きさ、形状の穴と多孔性骨材が表面に露出した生態系適合層を持ち、該生態系適合層が躯体コンクリートと一体になった生態系適合性コンクリートを低価格で、簡単に製造することが可能になり、これにより生態系に適合した耐久性の擁壁、護岸ブロック、水路等の構築が可能になった。
【図面の簡単な説明】
【図１】本発明に係る生態系適合性コンクリートの部分上面模式図である。
【図２】本発明に係る生態系適合性コンクリートの部分断面模式図である。
【図３】本発明に係る多孔質粒子搭載シートの部分上面模式図である。
【図４】本発明に係る多孔質粒子搭載シートの部分断面模式図である。
【図５】本発明に係る生態系適合性コンクリートの製造過程における部分上面模式図である。
【図６】本発明に係る生態系適合性コンクリートの製造過程における部分断面模式図である。
【符号の説明】
１：コンクリート、２：多孔質骨材、３：吸水崩壊性粒子、４：穴、５：粘着剤層、６：粘着シートの基材、７・・・生態系適合性コンクリート、８・・・多孔質粒子搭載シート
【図１】
2004050595.tif 000003
【図２】
2004050595.tif 000004
【図３】
2004050595.tif 000005
【図４】
2004050595.tif 000006
【図５】
2004050595.tif 000007
【図６】
2004050595.tif 000008